(57)【要約】      （修正有）【課題】ユーザーの利便性を向上する画像読取装置、画像読取方法、及び画像形成装置を提供する。【解決手段】画像読取装置２は、画像読取部２１と、判定部５０２と、取得部５０１と、書込部５０３とを備える。画像読取部２１は、バーコードを示すバーコード画像ＢＣを含む原稿画像Ｍを読み取り、原稿画像情報を生成する。判定部５０２は、バーコードのチェックデジット値が正常であるか否かを判定する。取得部５０１は、バーコードから、バーコードが示す情報であるバーコード情報を取得する。チェックデジットの値が正常であると判定部５０２が判定した場合に、書込部５０３は、バーコード情報と原稿画像情報と判定部５０２の判定結果を示す情報とを所定の保存先に書き込む。【選択図】図３
2019129480.tif 000002
【特許請求の範囲】
【請求項１】
バーコードを示すバーコード画像を含む原稿画像を読み取り、原稿画像情報を生成する画像読取部と、
前記バーコードのチェックデジットの値が正常であるか否かを判定する判定部と、
前記バーコード画像から、前記バーコードが示す情報であるバーコード情報を取得する取得部と、
前記バーコード情報と前記原稿画像情報と前記判定部の判定結果を示す情報とを所定の保存先に書き込む書込部と
を備える、画像読取装置。
【請求項２】
ディスプレーと、
前記ディスプレーに前記判定部の判定結果を表示する表示制御部と
を更に備える、請求項１に記載の画像読取装置。
【請求項３】
前記原稿画像は複数のバーコードを含み、
前記複数のバーコードのうちの少なくとも１つのバーコードのチェックデジットの値が正常ではないと前記判定部が判定した場合に、前記書込部は、前記少なくとも１つのバーコードが識別可能なように前記原稿画像情報を修正して、前記原稿画像情報を前記所定の保存先に書き込む、請求項１又は請求項２に記載の画像読取装置。
【請求項４】
保存先を前記書込部に設定する第１設定部を更に備え、
前記第１設定部は、前記保存先を受け付け、受け付けた前記保存先を前記書込部に設定する、請求項１から請求項３のいずれか１項に記載の画像読取装置。
【請求項５】
前記バーコードのタイプを前記取得部に設定する第２設定部を更に備え、
前記第２設定部は、前記タイプを受け付け、受け付けた前記タイプを前記取得部に設定する、請求項１から請求項４のいずれか１項に記載の画像読取装置。
【請求項６】
前記バーコードのタイプを識別する識別部を更に備え、
前記取得部は、前記識別部が識別した前記タイプに基づいて、前記バーコードから前記バーコード情報を取得する、請求項１から請求項４のいずれか１項に記載の画像読取装置。
【請求項７】
前記バーコードのチェックデジット方式を前記判定部に設定する第３設定部を更に備え、
前記第３設定部は、前記チェックデジット方式を受け付け、受け付けた前記チェックデジット方式を前記判定部に設定する、請求項１から請求項６のいずれか１項に記載の画像読取装置。
【請求項８】
前記バーコードが形成されている領域を示す領域情報を前記取得部に設定する第４設定部を更に備え、
前記第４設定部は、前記領域情報を受け付け、受け付けた前記領域情報を前記取得部に設定する、請求項１から請求項７のいずれか１項に記載の画像読取装置。
【請求項９】
前記バーコードが形成されている領域を特定する特定部を更に備え、
前記取得部は、前記特定部によって特定された前記領域に基づいて、前記バーコードから前記バーコード情報を取得する、請求項１から請求項７のいずれか１項に記載の画像読取装置。
【請求項１０】
バーコードを示すバーコード画像を含む原稿画像を読み取り、原稿画像情報を生成する画像読取部を備える画像読取装置が実行する画像読取方法であって、
前記バーコードのチェックデジットの値が正常であるか否かを判定する判定ステップと、
前記バーコードから前記バーコードが示す情報であるバーコード情報を取得する取得ステップと、
前記バーコード情報と前記原稿画像情報と前記判定ステップでの判定結果を示す情報とを所定の保存先に書き込む書込ステップと
を含む、画像読取方法。
【請求項１１】
記録媒体に画像を形成する画像形成部と、
バーコードを示すバーコード画像を含む原稿画像を読み取り、原稿画像情報を生成する画像読取部と、
前記バーコードのチェックデジットの値が正常であるか否かを判定する判定部と、
前記バーコードから前記バーコードが示す情報であるバーコード情報を取得する取得部と、
前記バーコード情報と前記原稿画像情報と前記判定部の判定結果を示す情報とを所定の保存先に書き込む書込部と
を備える、画像形成装置。
【発明の詳細な説明】
【技術分野】
【０００１】
本発明は、画像読取装置、画像読取方法、及び画像形成装置に関する。
【背景技術】
【０００２】
特許文献１に記載の文書管理装置は、バーコードを示すバーコード画像を含む原稿画像を読み取り、原稿画像情報を生成する。そして、原稿画像情報から、バーコード画像情報を抽出する。次に、バーコード画像情報を解析し、バーコード画像情報から文書ＩＤを取得する。更に、取得された文書ＩＤに対応する電子文書の有無を判定する。
【先行技術文献】
【特許文献】
【０００３】
【特許文献１】特開２００５−１０７６９０号公報
【発明の概要】
【発明が解決しようとする課題】
【０００４】
特許文献１に記載の文書管理装置では、バーコードのチェックデジットの値が正常ではない場合には、正しい文書ＩＤを取得できない可能性がある。したがって、ユーザーの利便性が充分ではない可能性がある。
【０００５】
本発明は、上記課題に鑑みてなされたものであり、ユーザーの利便性を向上可能な画像読取装置、画像読取方法、及び画像形成装置を提供することを目的としている。
【課題を解決するための手段】
【０００６】
本発明に係る画像読取装置は、画像読取部と、判定部と、取得部と、書込部とを備える。前記画像読取部は、バーコードを示すバーコード画像を含む原稿画像を読み取り、原稿画像情報を生成する。前記判定部は、前記バーコードのチェックデジットの値が正常であるか否かを判定する。前記取得部は、前記バーコード画像から前記バーコードが示す情報であるバーコード情報を取得する。前記書込部は、前記バーコード情報と前記原稿画像情報と前記判定部の判定結果を示す情報とを所定の保存先に書き込む。
【０００７】
本発明に係る画像読取方法は、画像読取装置が実行する画像読取方法である。前記画像読取装置は、バーコードを示すバーコード画像を含む原稿画像を読み取り、原稿画像情報を生成する画像読取部を備える。前記画像読取方法は、判定ステップと、取得ステップと、書込ステップとを含む。前記判定ステップでは、前記バーコードのチェックデジットの値が正常であるか否かを判定する。前記取得ステップでは、前記バーコードから前記バーコードが示す情報であるバーコード情報を取得する。前記書込ステップでは、前記バーコード情報と前記原稿画像情報と前記判定ステップでの判定結果を示す情報とを所定の保存先に書き込む。
【０００８】
本発明に係る画像形成装置は、画像形成部と、画像読取部と、判定部と、取得部と、書込部とを備える。前記画像形成部は、記録媒体に画像を形成する。前記画像読取部は、バーコードを示すバーコード画像を含む原稿画像を読み取り、原稿画像情報を生成する。前記判定部は、前記バーコードのチェックデジットの値が正常であるか否かを判定する。前記取得部は、前記バーコードから、前記バーコードが示す情報であるバーコード情報を取得する。前記書込部は、前記バーコード情報と前記原稿画像情報と前記判定部の判定結果を示す情報とを所定の保存先に書き込む。
【発明の効果】
【０００９】
本発明に係る画像読取装置、画像読取方法及び画像形成装置によれば、ユーザーの利便性を向上できる。
【図面の簡単な説明】
【００１０】
【図１】本発明の実施形態に係る画像形成装置の構成を示す図である。
【図２】（ａ）は、原稿の一例を示す図である。（ｂ）は、ＵＳＢメモリーに記憶する内容の一例を示す図である。
【図３】本発明の実施形態に係る制御部の構成を示す図である。
【図４】異常表示画面の一例を示す画面図である。
【図５】バーコードの読取条件を示す図である。
【図６】複数のバーコード画像を含む原稿画像の一例を示す図である。
【図７】制御部の処理の一例を示すフローチャートである。
【図８】制御部の処理の一例を示すフローチャートである。
【図９】制御部の識別マーク付与処理の一例を示すフローチャートである。
【図１０】制御部のバーコード情報修正処理の一例を示すフローチャートである。
【発明を実施するための形態】
【００１１】
以下、本発明の実施形態について、図面（図１〜図１０）を参照しながら説明する。なお、図中、同一又は相当部分については同一の参照符号を付して説明を繰り返さない。
【００１２】
まず、図１を参照して、本実施形態に係る画像形成装置１００の構成について説明する。図１は、画像形成装置１００の構成を示す図である。画像形成装置１００は、カラー複合機である。画像形成装置１００は、原稿Ｒに形成された画像を読み取ると共に、トナーを用いて用紙Ｐに画像を形成する。
【００１３】
図１に示すように、画像形成装置１００は、画像形成ユニット１、画像読取ユニット２、原稿搬送ユニット３及び操作パネル４を備える。画像形成ユニット１は、用紙Ｐに画像を形成する。画像読取ユニット２は、原稿Ｒに形成された原稿画像を読み取り、原稿画像情報を生成する。原稿搬送ユニット３は、原稿Ｒを画像読取ユニット２に搬送する。操作パネル４は、ユーザーからの操作を受け付ける。画像読取ユニット２は、「画像読取装置」の一例に相当する。
【００１４】
画像形成ユニット１は、給送部１２、搬送部Ｌ、トナー供給部１３、画像形成部１４、定着部１６及び排出部１７を備える。画像形成部１４は、転写部１５を含む。
【００１５】
給送部１２は、用紙Ｐを搬送部Ｌへ供給する。搬送部Ｌは、用紙Ｐを転写部１５及び定着部１６を経由して排出部１７まで搬送する。
【００１６】
トナー供給部１３は、画像形成部１４にトナーを供給する。画像形成部１４は、用紙Ｐに画像を形成する。
【００１７】
転写部１５は、中間転写ベルト１５４を備える。画像形成部１４が、中間転写ベルト１５４上にシアン色、マゼンタ色、イエロー色、及び黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００１８】
定着部１６は、用紙Ｐを加熱及び加圧し、用紙Ｐに形成された画像を用紙Ｐに定着する。排出部１７は、用紙Ｐを画像形成装置１００の外部へ排出する。
【００１９】
画像読取ユニット２は、画像読取部２１と、ＵＳＢ装着部２２と、制御部５とを備える。
【００２０】
画像読取部２１は、画像読取部２１は、ＬＥＤ（Ｌｉｇｈｔ  Ｅｍｉｔｔｉｎｇ  Ｄｉｏｄｅ）、コンタクトガラス、結像レンズ、及びイメージセンサーを備え、これらの各部材が一体化されたＣＩＳ（Ｃｏｎｔａｃｔ  Ｉｍａｇｅ  Ｓｅｎｓｏｒ）ユニットである。
【００２１】
ＵＳＢ装着部２２は、ＵＳＢ（Ｕｎｉｖｅｒｓａｌ  Ｓｅｒｉａｌ  Ｂｕｓ）メモリー６が装着される。ＵＳＢ装着部２２には、ＵＳＢメモリー６が着脱自在である。ＵＳＢ装着部２２は、ＵＳＢ装着部２２に装着されたＵＳＢメモリー６と制御部５との間で種々の情報伝送を可能にする。具体的には、制御部５は、ＵＳＢメモリー６に種々の情報を書き込み可能であり、制御部５は、ＵＳＢメモリー６から種々の情報を読み出し可能である。
【００２２】
制御部５は、画像形成装置１００の動作を制御する。制御部５は、プロセッサー５１及び記憶部５２を備える。プロセッサー５１は、例えばＣＰＵ（Ｃｅｎｔｒａｌ  Ｐｒｏｃｅｓｓｉｎｇ  Ｕｎｉｔ）を備える。記憶部５２は、半導体メモリーのようなメモリーを備え、ＨＤＤ（Ｈａｒｄ  Ｄｉｓｋ  Ｄｒｉｖｅ）を備えてもよい。記憶部５２は、制御プログラムを記憶している。
【００２３】
操作パネル４は、タッチパネル４１を備える。タッチパネル４１は、例えば、ＬＣＤ（Ｌｉｑｕｉｄ  Ｃｒｙｓｔａｌ  Ｄｉｓｐｌａｙ）を備え、種々の画像を表示する。また、タッチパネル４１は、タッチセンサーを備え、ユーザーからの操作を受け付ける。
【００２４】
次に、図１及び図２を参照して、原稿Ｒの一例について説明する。図２（ａ）は、原稿Ｒの一例を示す図である。図２（ａ）に示すように、原稿Ｒは、例えば原稿Ｒ１、原稿Ｒ２、原稿Ｒ３を含む。
【００２５】
原稿Ｒ１には、原稿画像Ｍ１が形成されている。原稿画像Ｍ１は、バーコード画像ＢＣ１を含む。原稿Ｒ２には、原稿画像Ｍ２が形成されている。原稿画像Ｍ２は、バーコード画像ＢＣ２を含む。原稿Ｒ３には、原稿画像Ｍ３が形成されている。原稿画像Ｍ３は、バーコード画像ＢＣ３を含む。バーコード画像ＢＣ１、バーコード画像ＢＣ２及びバーコード画像ＢＣ３の各々は、バーコードを示す。以下の説明において、原稿画像Ｍ１〜原稿画像Ｍ３の各々を、原稿画像Ｍと総称する場合がある。また、バーコード画像ＢＣ１〜バーコード画像ＢＣ３の各々を、バーコード画像ＢＣと総称する場合がある。
【００２６】
画像読取ユニット２は、原稿画像Ｍ１を読み取り、画像情報ＭＤ１を生成する。また、制御部５は、バーコード画像ＢＣ１からバーコード情報ＢＣＤ１を生成する。バーコード情報ＢＣＤ１は、バーコード画像ＢＣ１に対応するバーコードが示す情報である。
【００２７】
画像読取ユニット２は、原稿画像Ｍ２を読み取り、画像情報ＭＤ２を生成する。また、制御部５は、バーコード画像ＢＣ２からバーコード情報ＢＣＤ２を生成する。バーコード情報ＢＣＤ２は、バーコード画像ＢＣ２に対応するバーコードが示す情報である。
【００２８】
画像読取ユニット２は、原稿画像Ｍ３を読み取り、画像情報ＭＤ３を生成する。また、制御部５は、バーコード画像ＢＣ３からバーコード情報ＢＣＤ３を生成する。バーコード情報ＢＣＤ３は、バーコード画像ＢＣ３に対応するバーコードが示す情報である。以下の説明において、バーコード情報ＢＣＤ１〜バーコード情報ＢＣＤ３の各々を、バーコード情報ＢＣＤと総称する場合がある。
【００２９】
図２（ｂ）は、ＵＳＢメモリー６に記憶する内容の一例を示す図である。図２（ｂ）に示すように、ＵＳＢメモリー６には、バーコード情報ＢＣＤ１〜バーコード情報ＢＣＤ３と、画像情報ＭＤ１〜画像情報ＭＤ３とが記憶される。バーコード情報ＢＣＤ１〜バーコード情報ＢＣＤ３の各々は、例えば、ＣＳＶ（Ｃｏｍｍａ−Ｓｅｐａｒａｔｅｄ  Ｖａｌｕｅｓ）形式のファイルに、テキスト情報として記憶される。
【００３０】
次に、図１〜図３を参照して、本発明の実施形態に係る制御部５の構成について説明する。図３は、制御部５の構成を示す図である。図３に示すように、制御部５は、取得部５０１、判定部５０２、書込部５０３、表示制御部５０４、第１設定部５０５、第２設定部５０６、第３設定部５０７及び第４設定部５０８を備える。具体的には、制御部５のプロセッサー５１が制御プログラムを実行することによって、取得部５０１、判定部５０２、書込部５０３、表示制御部５０４、第１設定部５０５、第２設定部５０６、第３設定部５０７及び第４設定部５０８として機能する。
【００３１】
取得部５０１は、画像読取部２１から原稿画像情報ＭＤを取得する。また、取得部５０１は、バーコード画像ＢＣからバーコード情報ＢＣＤを取得する。
【００３２】
判定部５０２は、バーコードＢのチェックデジットＣＨの値が正常であるか否かを判定する。
【００３３】
書込部５０３は、バーコード情報ＢＣＤと原稿画像情報ＭＤと判定部５０２の判定結果を示す情報とを所定の保存先に書き込む。「所定の保存先」は、本発明の実施形態では、ＵＳＢメモリー６である。具体的には、書込部５０３は、判定部５０２の判定結果を示す情報をバーコード情報ＢＣＤ及び原稿画像情報ＭＤと対応付けて所定の保存先に書き込む。また、書込部５０３は、ページ番号情報と、判定部５０２の判定結果を示す情報、バーコード情報ＢＣＤ及び原稿画像情報ＭＤとを対応付けて所定の保存先に書き込んでもよい。ページ番号情報は、原稿画像情報ＭＤに対応する原稿Ｒのページ番号を示す。ページ番号は、何ページ目の原稿Ｒであるかを示す。
【００３４】
表示制御部５０４は、タッチパネル４１に判定部５０２の判定結果を表示する。
【００３５】
第１設定部５０５は、保存先を受け付け、受け付けた保存先を書込部５０３に設定する。第１設定部５０５が受け付けた保存先に、書込部５０３はバーコード情報ＢＣＤと原稿画像情報ＭＤとを書き込む。
【００３６】
第２設定部５０６は、バーコードＢのタイプＴＰを受け付け、受け付けたバーコードＢのタイプＴＰを取得部５０１に設定する。
【００３７】
第３設定部５０７は、バーコードＢのチェックデジット方式ＣＴを受け付け、受け付けたチェックデジット方式ＣＴを判定部５０２に設定する。
【００３８】
第４設定部５０８は、バーコードＢが形成されている領域を示す領域情報を受け付け、受け付けた領域情報を取得部５０１に設定する。
【００３９】
以上、図１〜図３を参照して説明したように、本発明の実施形態では、書込部５０３は判定部５０２の判定結果を示す情報を所定の保存先に書き込む。よって、ユーザーは判定部５０２の判定結果を確認できる。したがって、ユーザーの利便性を向上できる。
【００４０】
更に、書込部５０３は、判定部５０２の判定結果を示す情報をバーコード情報ＢＣＤ及び原稿画像情報ＭＤと対応付けて所定の保存先に書き込むため、チェックデジットＣＨの値が正常ではないと判定されたバーコード情報ＢＣＤ及び原稿画像情報ＭＤを容易に確認できる。したがって、ユーザーの利便性を更に向上できる。
【００４１】
また、書込部５０３が、ページ番号情報と、判定部５０２の判定結果を示す情報、バーコード情報ＢＣＤ及び原稿画像情報ＭＤとを対応付けて所定の保存先に書き込む場合には、チェックデジットＣＨの値が正常ではないと判定された原稿画像情報ＭＤのページ番号情報を確認できる。したがって、ユーザーの利便性を更に向上できる。
【００４２】
次に、図２〜図４を参照して、表示制御部５０４がタッチパネル４１に表示する異常表示画面７００について説明する。図４は、異常表示画面７００の一例を示す画面図である。図４に示すように、異常表示画面７００には、メッセージ表示部７０１と、再スキャンボタン７０２と、入力ボタン７０３と、キャンセルボタン７０４とが表示されている。
【００４３】
メッセージ表示部７０１は、メッセージをタッチパネル４１に表示する。メッセージ表示部７０１は、第１メッセージＭＳＧ１、第２メッセージＭＳＧ２及び第３メッセージＭＳＧ３を表示する。
【００４４】
第１メッセージＭＳＧ１は、判定部５０２の判定結果を示す情報を示す。例えば、第１メッセージＭＳＧ１は、「２枚目のバーコードＢが正しく読み取れませんでした。」を示す。すなわち、２枚目の原稿ＲにおいてバーコードＢのチェックデジットＣＨの値が正常ではないと判定部５０２が判定したことを示している。
【００４５】
第２メッセージＭＳＧ２は、取得部５０１が取得したバーコード情報ＢＣＤを示す。例えば、第２メッセージＭＳＧ２は、「読み込み結果：３５１３８６３２２７７９６３」を示し、２枚目の原稿Ｒのバーコード情報ＢＣＤが「３５１３８６３２２７７９６３」であることを示している。また、第２メッセージＭＳＧ２は、「チェックデジットＣＨの正当性判定結果：ＮＧ」を示す。すなわち、２枚目の原稿ＲにおいてバーコードＢのチェックデジットＣＨの値が正常ではないと判定部５０２が判定しているため、第２メッセージＭＳＧ２に表示されたバーコード情報ＢＣＤは正しくない可能性がある。
【００４６】
第３メッセージＭＳＧ３は、ユーザーに対応を選択させるためのメッセージである。例えば、第３メッセージＭＳＧ３は、「再スキャンしますか？それともバーコードデータを入力しますか？」を示す。すなわち、ユーザーは、２枚目の原稿Ｒを再スキャンするか、バーコード情報ＢＣＤを入力するかを選択できる。
【００４７】
再スキャンボタン７０２は、ユーザーが再スキャンを行う場合にタッチされるボタンである。再スキャンボタン７０２がタッチされた場合には、３枚目以降の原稿Ｒの原稿画像Ｍの読み込みを中断して、２枚目の原稿Ｒの原稿画像Ｍの再読み込みを可能にする。
【００４８】
入力ボタン７０３は、ユーザーがバーコード情報ＢＣＤを入力する場合にタッチされるボタンである。入力ボタン７０３がタッチされた場合には、２枚目の原稿Ｒのバーコード情報ＢＣＤの入力を受け付ける画面が表示される。
【００４９】
キャンセルボタン７０４は、ユーザーが異常表示画面７００を非表示にする場合にタッチするボタンである。
【００５０】
バーコードＢのチェックデジットＣＨの値が正常ではないと判定部５０２が判定した場合において、図３に示す制御部５が実行する処理について以下に説明する。バーコードＢのチェックデジットＣＨの値が正常ではないと判定部５０２が判定した場合に、書込部５０３は、バーコード情報ＢＣＤと、原稿画像情報ＭＤと判定部５０２の判定結果を示す情報とを第１設定部５０５が受け付けた保存先に書き込む。第１設定部５０５が受け付けた保存先は、本発明の実施形態では、ＵＳＢメモリー６である。
【００５１】
また、バーコードＢのチェックデジットＣＨの値が正常ではないと判定部５０２が判定した場合に、表示制御部５０４は、異常表示画面７００をタッチパネル４１に表示する。
【００５２】
再スキャンボタン７０２がタッチされた場合に、取得部５０１は、画像読取ユニット２から２枚目の原稿Ｒの原稿画像情報ＭＤを再度取得する。そして、判定部５０２は、２枚目の原稿ＲのバーコードＢのチェックデジットＣＨの値が正常であるか否かを再度判定する。また、取得部５０１は、２枚目の原稿Ｒのバーコード画像ＢＣから、バーコード情報ＢＣＤを再度取得する。
【００５３】
入力ボタン７０３がタッチされた場合に、取得部５０１は、２枚目の原稿Ｒのバーコード情報ＢＣＤを受け付ける。具体的には、取得部５０１は、ユーザーによるタッチパネル４１への入力に基づいて、２枚目の原稿Ｒのバーコード情報ＢＣＤを受け付ける。そして、書込部５０３は、取得部５０１が受け付けたバーコード情報ＢＣＤと、原稿画像情報ＭＤとを第１設定部５０５が受け付けた保存先に書き込む。
【００５４】
また、書込部５０３は、判定部５０２の判定結果を修正する。例えば、チェックデジットＣＨの値が正常であると判定部５０２が判定した場合に、書込部５０３は、判定結果として「０」を保存先に書き込む。また、チェックデジットＣＨの値が正常ではないと判定部５０２が判定した場合に、書込部５０３は、判定結果として「１」を保存先に書き込む。更に、取得部５０１がバーコード情報ＢＣＤを受け付けた場合には、書込部５０３は、判定結果として「２」を保存先に書き込む。すなわち、判定結果が「２」であることは、バーコード情報ＢＣＤがユーザーによって修正されたことを示す。
【００５５】
以上、図２〜図４を参照して説明したように、本発明の実施形態では、表示制御部５０４は、タッチパネル４１に判定部５０２の判定結果を表示する。よって、ユーザーは判定部５０２の判定結果を容易に確認できる。したがって、ユーザーの利便性を向上できる。
【００５６】
また、チェックデジットＣＨの値が正常ではないと判定部５０２が判定した場合に、書込部５０３は、バーコード情報ＢＣＤをＵＳＢメモリー６に書き込む。よって、ユーザーは、チェックデジットＣＨの値が正常ではないと判定されたバーコードＢのバーコード情報ＢＣＤを確認できる。したがって、ユーザーの利便性を更に向上できる。
【００５７】
更に、チェックデジットＣＨの値が正常ではないと判定部５０２が判定した場合に、ユーザーが原稿Ｒを再スキャンすることができる。原稿Ｒを再スキャンすることによって、チェックデジットＣＨの値が正常であると判定される可能性がある。チェックデジットＣＨの値が正常であると判定された場合には、ユーザーがバーコード情報ＢＣＤを入力する手間を軽減できる。したがって、ユーザーの利便性を更に向上できる。
【００５８】
また、チェックデジットＣＨの値が正常ではないと判定部５０２が判定した場合に、バーコード情報ＢＣＤをユーザーが入力することによってバーコード情報ＢＣＤを修正できる。したがって、ユーザーの利便性を更に向上できる。
【００５９】
次に、図２〜図５を参照して、バーコードＢの「読取条件」について説明する。図５は、バーコードＢの「読取条件」を示す図である。「読取条件」は、バーコード画像ＢＣからバーコード情報ＢＣＤを取得部５０１が取得するために必要な情報と、バーコードＢのチェックデジットＣＨの値が正常であるか否かを判定部５０２が判定するために必要な情報とを示す。図５に示すように、バーコードＢの「読取条件」は、バーコードＢの始点座標ＣＶ、バーコードＢのタイプＴＰ及びチェックデジット方式ＣＴを含む。
【００６０】
バーコードＢの始点座標ＣＶ及びバーコードＢのタイプＴＰは、バーコード画像ＢＣからバーコード情報ＢＣＤを取得部５０１が取得するために必要な情報である。チェックデジット方式ＣＴは、バーコードＢのチェックデジットＣＨの値が正常であるか否かを判定部５０２が判定するために必要な情報である。
【００６１】
例えば、ページ数ＮＰが「１」のバーコードＢは、バーコードＢの始点座標ＣＶが（１００、２０）であり、バーコードＢのタイプＴＰが「ＪＡＮ」であり、チェックデジット方式ＣＴが「モジュラス１０／ウェイト３」である。ページ数ＮＰが「１」のバーコードＢとは、１ページ目の原稿Ｒに記載されたバーコードＢを示す。
【００６２】
バーコードＢの始点座標ＣＶは、バーコードＢが形成されている領域の始点位置の座標を示す。座標は、Ｘ座標とＹ座標とから構成される。Ｘ座標は、用紙Ｐの幅方向の位置を示す。Ｙ座標は、Ｘ座標と直交する方向の位置を示す。Ｘ座標及びＹ座標の原点は、用紙Ｐの左上の端を示す。バーコードＢの始点座標ＣＶは、バーコードＢの左上の端のＸ座標及びＹ座標を、（Ｘ、Ｙ）と記載している。例えば、ページ数ＮＰが「１」のバーコードＢの始点座標ＣＶは（１００、２０）であり、用紙ＰにおいてＸ座標が１００ｍｍでＹ座標が２０ｍｍの位置に、バーコードＢの左上の端が位置していることを示している。バーコードＢの始点座標ＣＶは、「バーコードＢが形成されている領域を示す領域情報」の一例に相当する。
【００６３】
また、例えば、ページ数ＮＰが「２」のバーコードＢは、バーコードＢの始点座標ＣＶが（１００、２０）であり、バーコードＢのタイプＴＰが「ＮＷ−７」であり、チェックデジット方式ＣＴが「モジュラス１６」である。ページ数ＮＰが「２」のバーコードＢとは、２ページ目の原稿Ｒに記載されたバーコードＢを示す。
【００６４】
更に、例えば、ページ数ＮＰが「３」のバーコードＢは、バーコードＢの始点座標ＣＶが（２０、３００）であり、バーコードＢのタイプＴＰが「ＩＴＦ」であり、チェックデジット方式ＣＴが「モジュラス１０／ウェイト３」である。ページ数ＮＰが「３」のバーコードＢとは、３ページ目の原稿Ｒに記載されたバーコードＢを示す。
【００６５】
次に、図３に示す制御部５の構成について更に説明する。第２設定部５０６は、タッチパネル４１へのユーザーの入力に基づいて、バーコードＢのタイプＴＰを受け付け、受け付けたバーコードＢのタイプＴＰを取得部５０１に設定する。更に、第４設定部５０８は、タッチパネル４１へのユーザーの入力に基づいて、バーコードＢの始点座標ＣＶを受け付け、受け付けたバーコードＢの始点座標ＣＶを取得部５０１に設定する。取得部５０１は、バーコードＢのタイプＴＰ及びバーコードＢの始点座標ＣＶに基づいて、バーコード画像ＢＣからバーコード情報ＢＣＤを取得する。
【００６６】
また、第３設定部５０７は、タッチパネル４１へのユーザーの入力に基づいて、バーコードＢのチェックデジット方式ＣＴを受け付け、受け付けたチェックデジット方式ＣＴを判定部５０２に設定する。判定部５０２は、チェックデジット方式ＣＴに基づいて、バーコードＢのチェックデジットＣＨの値が正常であるか否かを判定する。
【００６７】
以上、図２〜図５を参照して説明したように、本発明の実施形態では、バーコードＢのタイプＴＰを取得部５０１に設定する。したがって、取得部５０１は、バーコード情報ＢＣＤを容易に取得できる。
【００６８】
また、原稿ＲにおいてバーコードＢが形成されている領域を示す領域情報（例えば、バーコードＢの始点座標ＣＶ）を受け付け、受け付けた領域情報を取得部５０１に設定する。したがって、取得部５０１は、バーコード情報ＢＣＤを更に容易に取得できる。
【００６９】
更に、バーコードＢのチェックデジット方式ＣＴを受け付けて、受け付けたチェックデジット方式ＣＴを判定部５０２に設定する。したがって、判定部５０２は、バーコードＢのチェックデジットＣＨの値が正常であるか否かを正確に判定できる。
【００７０】
なお、本発明の実施形態では、第２設定部５０６が、バーコードＢのタイプＴＰを受け付け、受け付けたバーコードＢのタイプＴＰを取得部５０１に設定するが、本発明はこれに限定されない。例えば、バーコードＢのタイプＴＰを識別する識別部を備え、取得部５０１は、識別部が識別したバーコードＢのタイプＴＰに基づいて、バーコードＢからバーコード情報ＢＣＤを取得してもよい。この場合には、ユーザーがバーコードＢのタイプＴＰを入力する必要がない。したがって、ユーザーの利便性を更に向上できる。
【００７１】
また、本発明の実施形態では、第４設定部５０８が、バーコードＢの始点座標ＣＶを受け付け、受け付けたバーコードＢの始点座標ＣＶを取得部５０１に設定するが、発明はこれに限定されない。例えば、バーコードＢが形成されている領域を特定する特定部を更に備え、取得部５０１は、特定部によって特定された領域に基づいて、バーコードＢからバーコード情報ＢＣＤを取得してもよい。この場合には、ユーザーがバーコードＢの始点座標ＣＶを入力する必要がない。したがって、ユーザーの利便性を更に向上できる。
【００７２】
次に、図２〜図６を参照して、原稿画像ＭＮが複数のバーコード画像ＢＣＮを含む場合の制御部５の処理について説明する。図６は、複数のバーコード画像ＢＣＮを含む原稿画像ＭＮの一例を示す図である。図６に示すように、原稿画像ＭＮは、第１バーコード画像ＢＣＮ１、第２バーコード画像ＢＣＮ２、第３バーコード画像ＢＣＮ３、第４バーコード画像ＢＣＮ４、第５バーコード画像ＢＣＮ５及び第６バーコード画像ＢＣＮ６を含む。
【００７３】
第４バーコード画像ＢＣＮ４には、チェックマークＣＭが付与されている。チェックマークＣＭは、第４バーコード画像ＢＣＮ４のチェックデジットＣＨの値が正常ではないと判定部５０２が判定したことを示す。
【００７４】
次に、図３と図６とを参照して、図３に示す制御部５の構成について更に説明する。判定部５０２は、第１バーコード画像ＢＣＮ１〜第６バーコード画像ＢＣＮ６の各々について、バーコードＢのチェックデジットＣＨの値が正常であるか否かを判定する。例えば、判定部５０２が以下のように判定した場合について説明する。第４バーコード画像ＢＣＮ４については、判定部５０２はチェックデジットＣＨの値が正常ではないと判定する。一方、第１バーコード画像ＢＣＮ１〜第３バーコード画像ＢＣＮ３、第５バーコード画像ＢＣＮ５及び第６バーコード画像ＢＣＮ６については、判定部５０２はチェックデジットＣＨの値が正常であると判定する。
【００７５】
書込部５０３は、チェックデジットＣＨの値が正常ではないと判定部５０２が判定したバーコード画像ＢＣＮ（本実施形態では、第４バーコード画像ＢＣＮ４）が識別可能なように原稿画像情報ＭＤＮを修正し、原稿画像情報ＭＤＮをＵＳＢメモリー６に書き込む。例えば、書込部５０３は、第４バーコード画像ＢＣＮ４にチェックマークＣＭを付与するように原稿画像情報ＭＤＮを修正し、原稿画像情報ＭＤＮをＵＳＢメモリー６に書き込む。
【００７６】
以上、図２〜図６を参照して説明したように、本発明の実施形態では、原稿Ｒに６つのバーコードＢが形成されており、６つのバーコードＢのうちの第４バーコード画像ＢＣＮ４のチェックデジットＣＨの値が正常ではないと判定部５０２が判定した場合に、書込部５０３は、以下の処理を行う。すなわち、書込部５０３は、第４バーコード画像ＢＣＮ４にチェックマークＣＭを付与するように原稿画像情報ＭＤＮを修正し、修正した原稿画像情報ＭＤＮをＵＳＢメモリー６に書き込む。よって、ユーザーは原稿画像情報ＭＤＮに基づいて、６つのバーコードＢのうちのチェックデジットＣＨの値が正常ではないと判定されたバーコードＢを特定できる。したがって、ユーザーの利便性を更に向上できる。
【００７７】
なお、本発明の実施形態では、６つのバーコードＢのうちの第４バーコード画像ＢＣＮ４のチェックデジットＣＨの値が正常ではない場合について説明したが、本発明はこれに限定されない。６つのバーコードＢのうちの少なくとも１つのバーコード画像ＢＣＮのチェックデジットＣＨの値が正常ではない場合であればよい。例えば、第４バーコード画像ＢＣＮ４及び第５バーコード画像ＢＣＮ５のチェックデジットＣＨの値が正常ではない場合には、書込部５０３は、第４バーコード画像ＢＣＮ４及び第５バーコード画像ＢＣＮ５の各々にチェックマークＣＭを付与するように原稿画像情報ＭＤＮを修正し、修正した原稿画像情報ＭＤＮをＵＳＢメモリー６に書き込む。
【００７８】
また、本発明の実施形態では、原稿Ｒに６つのバーコードＢが形成されているが、本発明はこれに限定されない。原稿Ｒに複数のバーコードＢが形成されていればよい。例えば、原稿Ｒに２つのバーコードＢが形成されていてもよいし、原稿Ｒに３つのバーコードＢが形成されていてもよい。
【００７９】
更に、本発明の実施形態では、書込部５０３は、チェックデジットＣＨの値が正常ではないと判定されたバーコード画像ＢＣＮにチェックマークＣＭを付与するように原稿画像情報ＭＤＮを修正するが、本発明はこれに限定されない。書込部５０３は、チェックデジットＣＨの値が正常ではないと判定されたバーコード画像ＢＣＮを識別可能にすればよい。例えば、書込部５０３は、チェックデジットＣＨの値が正常ではないと判定されたバーコード画像ＢＣＮの色を特定の色（例えば、赤色）になるように原稿画像情報ＭＤＮを修正してもよい。
【００８０】
次に、図３〜図１０を参照して、制御部５の処理について説明する。図７及び図８は、制御部５の処理の一例を示すフローチャートである。なお、以下の説明においては、２枚以上のＭ枚の原稿画像ＭＮ（Ｎ＝１、・・・、Ｍ）のバーコード画像ＢＣＮからバーコード情報ＢＣＤＮを取得する場合について説明する。また、Ｍ枚の原稿ＲのバーコードＢの各々におけるタイプＴＰＮ、チェックデジット方式ＣＴＮ及び始点座標ＣＶＮは、全て同一である。タイプＴＰＮ（Ｎ＝１、・・・、Ｍ）を、タイプＴＰと記載し、チェックデジット方式ＣＴＮ（Ｎ＝１、・・・、Ｍ）を、チェックデジット方式ＣＴと記載し、始点座標ＣＶＮ（Ｎ＝１、・・・、Ｍ）を、始点座標ＣＶと記載する。
図７に示すように、まず、ステップＳ１０１において、制御部５は、カウンターＮの値を「１」に初期化する。カウンターＮの値は、複数枚の原稿Ｒのうちの何枚目の原稿ＲＮであるかを示す。
次に、ステップＳ１０３において、第１設定部５０５は、保存先を受け付ける。具体的には、第１設定部５０５は、タッチパネル４１へのユーザーの入力に基づいて、保存先を受け付ける。保存先は、例えば、ＵＳＢメモリー６である。
【００８１】
次に、ステップＳ１０５において、第２設定部５０６は、バーコードＢのタイプＴＰを受け付け、受け付けたバーコードＢのタイプＴＰを取得部５０１に設定する。
次に、ステップＳ１０７において、第３設定部５０７は、バーコードＢのチェックデジット方式ＣＴを受け付け、受け付けたチェックデジット方式ＣＴを判定部５０２に設定する。
次に、ステップＳ１０９において、第４設定部５０８は、バーコードＢの始点座標ＣＶを受け付け、受け付けたバーコードＢの始点座標ＣＶを取得部５０１に設定する。
次に、ステップＳ１１１において、取得部５０１は、画像読取部２１から原稿画像情報ＭＤＮを取得する。
次に、ステップＳ１１３において、取得部５０１は、原稿画像情報ＭＤＮに含まれるバーコード画像ＢＣＮからバーコード情報ＢＣＤＮを取得する。
次に、ステップＳ１１５において、判定部５０２は、バーコードＢＮのチェックデジットＣＨＮの値を算出する。
【００８２】
次に、図８に示すように、ステップＳ１１７において、判定部５０２は、チェックデジットＣＨＮの値が正常であるか否かを判定する。
チェックデジットＣＨＮの値が正常であると判定部５０２が判定した場合（ステップＳ１１７でＹＥＳ）には、処理がステップＳ１２５に進む。チェックデジットＣＨＮの値が正常ではないと判定部５０２が判定した場合（ステップＳ１１７でＮＯ）には、処理がステップＳ１１９に進む。
そして、ステップＳ１１９において、制御部５が「識別マーク付与処理」を実行する。
「識別マーク付与処理」は、チェックデジットＣＨの値が正常ではないと判定部５０２が判定したバーコード画像ＢＣＮＪが識別可能なように原稿画像情報ＭＤＮを修正する処理を示す。原稿画像ＭＮに複数個のバーコードＢＮＪ（Ｊ＝１、・・・、Ｌ）が含まれる場合において、バーコード画像ＢＣＮＪは、複数個のバーコードＢＮＪのうちの１つのバーコードＢＮＫの画像を示す。「識別マーク付与処理」については、後述にて図９を参照して詳細に説明する。
【００８３】
次に、ステップＳ１２１において、表示制御部５０４は、タッチパネル４１に図４に示す異常表示画面７００を表示する。
次に、ステップＳ１２３において、制御部５は、「バーコード情報修正処理」を実行する。
「バーコード情報修正処理」は、バーコード情報ＢＣＤＮを修正する処理を示す。「バーコード情報修正処理」については、後述にて図１０を参照して詳細に説明する。
次に、ステップＳ１２５において、書込部５０３は、バーコード情報ＢＣＤＮと、原稿画像情報ＭＤＮと、判定部５０２の判定結果を示す情報とをＵＳＢメモリー６に書き込む。
次に、ステップＳ１２７において、制御部５は、カウンターＮの値がＭ以上であるか否かを判定する。
カウンターＮの値がＭ以上であると制御部５が判定した場合（ステップＳ１２７でＹＥＳ）には処理が終了する。カウンターＮの値がＭ以上ではないと制御部５が判定した場合（ステップＳ１２７でＮＯ）には、処理がステップＳ１２９に進む。
そして、ステップＳ１２９において、制御部５がカウンターＮの値を「１」だけインクリメントして、処理が図７のステップＳ１１１に戻る。
【００８４】
次に、図９を参照して、「識別マーク付与処理」について説明する。図９は、制御部５の「識別マーク付与処理」の一例を示すフローチャートである。
図９に示すように、ステップＳ２０１において、制御部５は、原稿画像ＭＮが複数個のバーコード画像ＢＣＮＪ（Ｊ＝１、・・・、Ｌ：Ｌ≧２）を含むか否かを判定する。
原稿画像ＭＮが複数個のバーコード画像ＢＣＮＪを含まないと制御部５が判定した場合（ステップＳ２０１でＮＯ）には、処理が図８のステップＳ１２１にリターンする。原稿画像ＭＮが複数個のバーコード画像ＢＣＮＪを含むと制御部５が判定した場合（ステップＳ２０１でＹＥＳ）には、処理がステップＳ２０３に進む。
そして、ステップＳ２０３において、書込部５０３は、チェックデジットＣＨの値が正常ではないと判定部５０２が判定したバーコード画像ＢＣＮＫにチェックマークＣＭを付与するように原稿画像情報ＭＤＮを修正する。そして、処理が図８のステップＳ１２１にリターンする。
【００８５】
次に、図１０を参照して、「バーコード情報修正処理」について説明する。図１０は、制御部５の「バーコード情報修正処理」の一例を示すフローチャートである。
図１０に示すように、ステップＳ３０１において、制御部５は、図４に示す異常表示画面７００の再スキャンボタン７０２がユーザーによってタッチされたか否かを判定する。
再スキャンボタン７０２がタッチされていないと制御部５が判定した場合（ステップＳ３０１でＮＯ）には、処理がステップＳ３１１に進む。再スキャンボタン７０２がタッチされたと制御部５が判定した場合（ステップＳ３０１でＹＥＳ）には、処理がステップＳ３０３に進む。
そして、ステップＳ３０３において、取得部５０１が、画像読取部２１から原稿画像情報ＭＤＮを取得する。
【００８６】
次に、ステップＳ３０５において、取得部５０１は、原稿画像情報ＭＤＮに含まれるバーコード画像ＢＣＮからバーコード情報ＢＣＤＮを取得する。
次に、ステップＳ３０７において、判定部５０２は、バーコードＢＮのチェックデジットＣＨＮの値を算出する。
次に、ステップＳ３０９において、判定部５０２は、チェックデジットＣＨＮの値が正常であるか否かを判定する。
チェックデジットＣＨＮの値が正常ではないと判定部５０２が判定した場合（ステップＳ３０９でＮＯ）には、処理が図８のステップＳ１２１に戻る。チェックデジットＣＨＮの値が正常であると判定部５０２が判定した場合（ステップＳ３０９でＹＥＳ）には、処理が図８のステップＳ１２５にリターンする。
【００８７】
ステップＳ３０１でＮＯの場合には、ステップＳ３１１において、制御部５は、図４に示す異常表示画面７００の入力ボタン７０３がユーザーによってタッチされたか否かを判定する。
入力ボタン７０３がタッチされていないと制御部５が判定した場合（ステップＳ３１１でＮＯ）には、処理がステップＳ３１７に進む。入力ボタン７０３がタッチされたと制御部５が判定した場合（ステップＳ３１１でＹＥＳ）には、処理がステップＳ３１３に進む。
そして、ステップＳ３１３において、制御部５が、ユーザーからのバーコード情報ＢＣＤＮの入力を受け付ける。
次に、ステップＳ３１５において、制御部５が、バーコード情報ＢＣＤＮをステップＳ３１３で受け付けたバーコード情報ＢＣＤＮに修正し、処理が図８のステップＳ１２５にリターンする。
【００８８】
ステップＳ３１１でＮＯの場合には、ステップＳ３１７において、制御部５は、図４に示す異常表示画面７００のキャンセルボタン７０４がユーザーによってタッチされたか否かを判定する。
キャンセルボタン７０４がタッチされたと制御部５が判定した場合（ステップＳ３１７でＹＥＳ）には、処理が図８のステップＳ１２５にリターンする。キャンセルボタン７０４がタッチされていないと制御部５が判定した場合（ステップＳ３１７でＮＯ）には、処理がステップＳ３１８に進む。
そして、ステップＳ３１８において、制御部５は、図８に示すステップＳ１２１で異常表示画面７００を表示した時点から所定時間Ｔが経過したか否かを判定する。所定時間Ｔは、例えば５秒である。
所定時間Ｔが経過していないと制御部５が判定した場合（ステップＳ３１８でＮＯ）には、処理がステップＳ３０１に戻る。所定時間Ｔが経過したと制御部５が判定した場合（ステップＳ３１８でＹＥＳ）には、処理が図８のステップＳ１２５にリターンする。
【００８９】
図８のステップＳ１１７が「判定ステップ」の一例に相当し、図７のステップＳ１１３が「取得ステップ」の一例に相当し、図８のステップＳ１２５が「書込ステップ」の一例に相当する。
【００９０】
以上、図３〜図１０を参照して説明したように、本発明の実施形態では、第１設定部５０５が保存先を受け付け、受け付けた保存先を書込部５０３に設定する。よって、ユーザーの所望する保存先を設定できる。したがって、ユーザーの利便性を更に向上できる。
【００９１】
なお、本発明の実施形態では、保存先がＵＳＢメモリー６であるが、本発明はこれに限定されない。保存先は、バーコード情報ＢＣＤと原稿画像情報ＭＤとを記憶可能であればよい。例えば、保存先が画像形成装置１００と通信可能に接続された端末装置（例えば、パーソナルコンピューター）でもよい。この場合には、書込部５０３は、画像形成装置１００から端末装置に、バーコード情報ＢＣＤと原稿画像情報ＭＤとを送信する。具体的には、書込部５０３は、端末装置に、バーコード情報ＢＣＤと原稿画像情報ＭＤとを電子メールに添付して送信する。また、書込部５０３は、端末装置に、バーコード情報ＢＣＤと原稿画像情報ＭＤとをＳＭＢ（Ｓｅｒｖｅｒ  Ｍｅｓｓａｇｅ  Ｂｌｏｃｋ）通信によって送信してもよい。そして、端末装置は、バーコード情報ＢＣＤと原稿画像情報ＭＤと受信して、記憶部（例えば、ＨＤＤ）に書き込む。
【００９２】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００９３】
（１）図１を参照して説明したように、本発明の実施形態では、画像形成装置１００がカラー複合機であるが、本発明はこれに限定されない。画像形成装置が、画像読取ユニット２と、制御部５とを備えればよい。例えば、画像形成装置が、スキャナーでもよいし、モノクロ複写機でもよい。
【００９４】
（２）図１及び図２を参照して説明したように、バーコードＢが１次元バーコードであるが、本発明はこれに限定されない。バーコードＢが１次元バーコード及び２次元バーコードの少なくとも一方であればよい。例えば、バーコードＢが２次元バーコードでもよい。２次元バーコードは、例えば、ＱＲコード（登録商標）である。
【産業上の利用可能性】
【００９５】
本発明は、画像読取装置、画像読取方法、及び画像形成装置の分野に利用可能である。
【符号の説明】
【００９６】
１００    画像形成装置
１    画像形成ユニット
１４    画像形成部
２    画像読取ユニット
２１    画像読取部
２２    ＵＳＢ装着部
５    制御部
５１    プロセッサー
５２    記憶部
５０１    取得部
５０２    判定部
５０３    書込部
５０４    表示制御部
５０５    第１設定部
５０６    第２設定部
５０７    第３設定部
５０８    第４設定部
３    原稿搬送ユニット
４    操作パネル
４１    タッチパネル
６    ＵＳＢメモリー
Ｒ    原稿
Ｍ    原稿画像
ＭＤ    原稿画像情報
Ｂ    バーコード
ＢＣ    バーコード画像
ＢＣＤ    バーコード情報
ＣＨ    チェックデジット
【図１】
2019129480.tif 000003
【図２】
2019129480.tif 000004
【図３】
2019129480.tif 000005
【図４】
2019129480.tif 000006
【図５】
2019129480.tif 000007
【図６】
2019129480.tif 000008
【図７】
2019129480.tif 000009
【図８】
2019129480.tif 000010
【図９】
2019129480.tif 000011
【図１０】
2019129480.tif 000012